(57)【要約】【課題】寝ている間に無意識に握ってしまう手を強制的に握らない状態に保つか、開かせた状態に保つことができる指装着体を提供する。【解決手段】指に嵌装する指サック状の指装着体であって、指装着体は指に嵌装できる円筒形本体と、前記本体の表面に適度な硬さで、指の骨に沿って基節骨と中節骨の間にある指節間関節をまたぐように硬質部を付加装着した構成であって、前記本体は、綿素材または樹脂素材で形成されており、前記硬質部は、フェルト素材からなる指装着体である。【選択図】図１
2010063562.tif 000002
【特許請求の範囲】
【請求項１】
指に嵌装する指サック状の指装着体であって、指装着体は指に嵌装できる円筒形本体と、前記本体の表面に適度な硬さで、指の骨に沿って基節骨と中節骨の間にある指節間関節をまたぐように硬質部を付加装着したことを特徴とする指装着体。
【請求項２】
前記本体は、綿素材または樹脂素材で形成されていることを特徴とする請求項１記載の指装着体。
【請求項３】
前記硬質部は、フェルト素材からなることを特徴とする請求項１または２記載の指装着体。
【請求項４】
前記本体は、円筒形状とするために指に巻ける程度の大きさの長方体の基部の端部に面ファスナーを表裏に設けた構造であることを特徴とする請求項１乃至３記載の指装着体。
【請求項５】
前記本体は、指に装着できるように指の背の大きさ程度の長方体の平板部と、該平板部の長手方向両端に、指に嵌るように円形の紐部を設けたことを特徴とする請求項１又は２記載の指装着体。
【請求項６】
前記本体は、指から外れないように開口両端部の内面に滑り止めの樹脂を塗布した構造、または両端部を樹脂素材とした構造であることを特徴とする請求項１記載の指装着体。
【請求項７】
前記硬質部は、保温または保冷剤が封入されていることを特徴とする請求項１記載の指装着体。
【発明の詳細な説明】
【技術分野】
【０００１】
本発明は、指に装着する指装着体に関し、特に適度な硬度を持つ素材により指を強制的に握りしめない状態に保つ構造の指装着体に関する。
【背景技術】
【０００２】
コンピュータのキーボード操作は、現代では必須不可欠である。業務の効率化を図る為にコンピュータ化が進行しているが、その関係で目および指先を酷使する人が年々増えている。また、コンピュータ以外にもゲーム機や携帯電話等ではモニタを注視ししながら手元の操作機械のボタンを操作する機会が増えており同様に目と指先を酷使している人が多い。目と指先の過度の酷使により、精神的、肉体的に疲労が蓄積し夜の平安な睡眠が妨げてられたりすることがある。また、本人には自覚がないが、眠っている間に首や肩等に力が入り、歯ぎしりや歯を喰いしばったり、さらに、いびきをかく等の症状があらわれることがあり、起床時には「寝た気がしない」、「寝起きが悪い」、「首や肩が痛い」などの症状を訴える人が多い。
通常睡眠は肉体疲労および精神疲労を回復させるために必要な手段であるが、逆に睡眠によって疲労を蓄積してしまい、疲労を回復する手段がなくなってしまうことも考えられる。
【０００３】
上記のような症状を持っている人の多くは睡眠時に無意識に一種の緊張状態を作っており、緊張状態では睡眠時であるにも関わらず手を強く握りしめていることが多い。手を強く握りしめると、肩、首、肩甲骨等に力が入り、凝りの悪化の原因となることが判明している。例えば、睡眠時に無意識の下で手を強く握りしめている行動を何かによって制限できれば、睡眠時の緊張を緩和することが出来るとも考えられ、凝りの原因を排除することが可能となると考えられる。
そこで、寝ている間であっても手を強く握り締めないように指を強制的に開かせて凝りの原因を排除できる指装着体のような機器の開発が待たれていた。
【０００４】
【特許文献１】特開２００１−２２４４７７号公報
【発明の開示】
【発明が解決しようとする課題】
【０００５】
上記問題を解決するために本発明の目的は、寝ている間に無意識に握ってしまう手を強制的に握らない状態に保つか、開かせた状態に保つことができる指装着体を提供することを目的としている。
【課題を解決するための手段】
【０００６】
上記目的を達成するために本発明に係る指装着体は、指に装着する指サック状の指装着体であって、指装着体は指に装着できるように円筒形状となっている本体と、前記本体の表面に適度な硬さであり、指の骨に沿って基節骨と中節骨の間にある指節間関節をまたぐように配置される形状の硬質部を設けた構造である。また、前記本体は、綿素材または樹脂素材で形成されている構造である。さらに、前記硬質部は、フェルト素材からなる構造でもある。
【０００７】
前記本体は、円筒形状とするために指に巻ける程度の大きさである長方形状の基部の端部に面ファスナを表裏に設けた構造であってもよい。また、前記本体は、指に装着できるように指の背の大きさ程度の長方形状の平板部と、該平板部の長手方向両端に、指に嵌るように円形状となる紐部を設けた構造でもある。また、前記本体は、指から外れないように開口両端部の内面に滑り止めの樹脂を塗布した構造、または両端部を樹脂素材とした構造である。さらに、前記硬質部は、保温または保冷剤が封入されている構造でもある。
【発明の効果】
【０００８】
本発明に係る指装着体は、上述のような構成であるので以下のような効果を奏するものである。
（１）指装着体を指に装着したまま寝ることにより、硬質部が指の曲げを制限するので、手を握りしめることが出来ない状態にあるので、開かせたリラックスしている状態で睡眠を取る事ができる。
（２）指装着体の本体を綿素材または樹脂素材で形成しているため、睡眠時の装着であっても違和感が少なく、装着感が良いという利点がある。
（３）硬質部をフェルト素材とすることにより、指の適度な折り曲げを可能としており、指に無理な負担がかからない利点がある。
【０００９】
（４）円筒形状とするために指に巻ける程度の大きさである長方形状の基部の端部に面ファスナーを表裏に設けたことにより、基部を巻いて指に装着させることができる。その際に面ファスナーが指の甲で接着することにより接合部が二重の厚さとなり、面ファスナーを硬質部の代わりとなる。
（５）指の背と同じくらいの大きさの長方形状の平板部と、平板部の長手方向両端部に設けられた円形状の紐部により固定するため、指の露出部が多く夏場の暑い時期に装着しても蒸れないという利点がある。
（６）筒状となっている本体の開口両端部の内側に滑り止めの樹脂を塗った構造、または両端を樹脂とする構造にすることにより、指から簡単にずれることを防止できる。
（７）硬質部に保冷剤または保温剤を封入することにより、好みの温度で使用することが可能である。
【発明を実施するための最良の形態】
【００１０】
以下、本発明に係る指装着体を、図面に開示した実施例に基づいて詳細に説明する。図１は本件発明に係る指装着体の斜視図である。図２は指装着体の平面図および正面図であり、図３は図２のＡ−Ａ断面図である。図４は本発明に係る指装着体の別の実施例の斜視図であり、図５は図４の実施例の指装着体を広げた状態の展開図である。図６は本発明に係る指装着体の別の実施例の斜視図である。
本発明にかかる指装着体１０は、本体２０と、硬質部３０と、からなる構成である。
【００１１】
本体２０は、図１に示す実施例では綿素材または樹脂素材により円筒形状となるように形成されている。素材に限定はなく、指に装着した際に着け心地が良いものが好ましく、例えば、シルク、ポリエステル等の素材であっても良い。また、夏季には気温があがるため、天然ゴム、合成ゴム、塩化ビニル樹脂や低密度ポリエチレン等の素材を使用することも考えられる。
【００１２】
この実施例では、本体２０の長手方向の両端の内縁周に、滑り止めの樹脂部２２が形成されている。この樹脂部２２は、本体２０の内壁表面または本体に接続されるように形成されている。樹脂部２２の形成方法および素材に限定はなく、本体２０を指に装着した後に就寝中に移動したりずれたりすることを防止するためのものである。この実施例では表面に樹脂素材を塗布して樹脂部を形成する方法を用いているが、本体２０の両端の内部にゴム等の弾性素材を入れて伸縮自在にして保持する構造としても良い。
【００１３】
硬質部３０は、本体２０の外表面または内壁に装着される長方形状の部材であり、この実施例ではフェルト素材が用いられている。硬質部３０の形状に限定はないが、手を握りしめないように指を強制的に開かせるために、骨に沿って基節骨と中節骨の間にある指節間関節をまたぐように配置される形状が好ましい。指節間の関節を曲げにくくすることにより、指全体が曲げにくくなり、手を握りしめる形状になることを妨げることができる。この実施例では硬質部材としてフェルト素材を用いているが、指節間関節を曲げにくくする程度の硬度を持つ素材であれば、固めた樹脂素材でも良く素材に限定はされない。
【００１４】
硬すぎて指が完全に曲げられない素材を採用すると、睡眠時に余計な負担を指に与えるため、却ってストレスの原因となることが考えられる。従って、指に適度な可動範囲を持たせることができる程度の硬度であることが望ましい。そのため、この実施例では４ｍｍ程度の厚さのフェルト素材を硬質部として採用しており、これにより、指の可動範囲を充分に保ちつつ、指を強制的に開かせる程度の反発力を持たせている。
【００１５】
図４に示す別の実施例は、指に巻きつけるタイプの指装着体である。この指装着体１０は、図５の展開図に示すように本体２０の両端の表裏に面ファスナー（ベルクロファスナ）４０を装備した構造である。面ファスナー４０は、指に巻きつけた際に硬質部の役割を持たせるように、ある程度硬い素材で製造された面ファスナーを用いて、面ファスナーを指の甲で係止させることが望ましい。通常この種の面ファスナは厚さも硬さもあるので、特殊な素材であったり、極めて硬めの素材でなければどのような機能のものでも使用可能である。面ファスナー４０の硬度は、上述した硬質部と同様の効果が期待されるので、指の甲で面ファスナーを係止させて巻きつけることにより同様の効果を得ることができる。
【００１６】
図６に示す別の実施例は、指に装着できるように指の背の大きさ程度の長方形状の平板部５０と、平板部の長手方向両端に指に嵌めるための円形の紐部６０を設けた構造となっている。平板部は、指の外周に沿って装着できるように円弧状に形成されている。また、平板部５０は、上述した硬質部となるフェルト素材をそのまま用いても良いし、本体となる綿素材に硬質部を貼り合わせた構造であっても、硬質部を綿素材で被覆した構造であってもよい。
平板部の長さは、指の骨に沿って基節骨と中節骨の間にある指節間関節をまたぐ程度の長さであることが望ましい。
【００１７】
紐部６０は、本体２０となる平板部５０を指に保持するための部材であり、指に密着するように弾性を持つゴム素材で形成された紐であるのことが望ましい。
夏場は熱帯夜になることが多く、指に指装着体を装備するだけで寝苦しくなることがある。そこで、指装着体の指に接する面積を少なくし、通気性を持たせることにより、夏場でも快適に使用する事ができる指装着体を提供することができる。
この実施例では紐部６０の素材として弾性のあるゴム素材を利用しているが、巻きつけ型の係止部を持つバンドとすることも、また、指に縛り付ける紐体とすることも可能であり、指に保持する事ができれば装着方法および係止部の構成は限定しない。
【００１８】
本発明の指装着体は、どの指にでも装着可能であり、すべての指に装着することができる。同時に全ての指に使用することは適当ではなく、好ましくは両手の中指と親指に装着して睡眠を取ることにより効果を発揮することができる。
睡眠時に体が緊張している人のほとんどが、手を強く握りしめている傾向がある。手を強く握りしめているということは、手から腕、肩、首まで緊張状態が続いており、筋肉が硬直して、睡眠時にリラックスができていない状態という事である。すなわち、手を強く握りしめなければ緊張状態を軽減でき、リラックス状態を作為的にかつ機器を利用して作り出すことができる。
【００１９】
指先は非常に敏感なため、手袋のように指全体が包まれていると、睡眠時に圧迫感や違和感が生じてしまう。そこで、適度に指を覆う部分を少なくすることにより、違和感を生じさせないことができる。
この実施例では、それぞれの指に単独で装着することができる指装着体の構造を説明しているが、親指と中指や、親指と人差し指等に嵌めることができる指装着体同士を接続した形状とすることも可能である。
【図面の簡単な説明】
【００２０】
【図１】本件発明に係る指装着体の斜視図
【図２】指装着体の平面図および正面図
【図３】図２のＡ−Ａ断面図
【図４】本発明に係る指装着体の別の実施例の斜視図
【図５】図４の実施例の指装着体を広げた状態の平面図
【図６】本発明に係る指装着体の別の実施例の斜視図
【符号の説明】
【００２１】
１０    指装着体
２０    本体
２２    樹脂部
３０    硬質部
４０    面ファスナー
５０    平板部
６０    紐部
【図１】
2010063562.tif 000003
【図２】
2010063562.tif 000004
【図３】
2010063562.tif 000005
【図４】
2010063562.tif 000006
【図５】
2010063562.tif 000007
【図６】
2010063562.tif 000008